(57)【要約】【課題】写真撮影プリント装置において、演出装置を選択モードに応じて制御することによって、装置全体として明確な雰囲気を多様に演出する。【解決手段】写真撮影プリント装置１は、あらかじめ設定されている複数のモードから１つを選択モードとして選択するモード選択部５３と、選択モードに応じた演出をする演出装置（タッチパネル１３，２１、照明装置１７、スピーカ１８）とを備える。【選択図】　図１
2004062839.tif 000002
【特許請求の範囲】
【請求項１】
利用者を撮影した画像をプリントする写真撮影プリント装置において、
あらかじめ設定されている複数のモードから１つを選択モードとして選択するモード選択手段と、
上記選択モードに応じた演出をする演出手段と、を備えることを特徴とする写真撮影プリント装置。
【請求項２】
利用者を撮影して撮影画像を得る撮影手段と、
上記撮影画像を編集してプリント用画像を得る画像編集手段と、
上記プリント用画像をプリントするプリント手段とを備え、
かつ、上記画像編集手段が上記選択モードに応じて動作するものであることを特徴とする請求項１に記載の写真撮影プリント装置。
【請求項３】
上記撮影画像を、当該撮影画像の撮影時の選択モードに対応づけて記憶する記憶手段を備えることを特徴とする請求項２に記載の写真撮影プリント装置。
【請求項４】
請求項１から３のいずれか１項に記載の写真撮影プリント装置に搭載されるプリント紙ユニットであって、
プリント用画像が印刷されるプリント紙と、当該プリント紙に関する識別情報を記録する識別媒体とを備えるとともに、
上記写真撮影プリント装置が具備する識別情報読み取り手段によって、上記識別媒体から識別情報が読み取られ、その内容が確認された上で上記プリント紙に上記プリント用画像がプリントされるものであることを特徴とするプリント紙ユニット。
【請求項５】
利用者を撮影した画像をプリントする写真撮影プリント装置の制御方法において、
あらかじめ設定されている複数のモードから１つを選択モードとして選択するモード選択処理と、
演出装置を上記選択モードに応じて制御する演出制御処理と、を含むことを特徴とする写真撮影プリント装置の制御方法。
【請求項６】
利用者を撮影して撮影画像を得る撮影処理と、
上記選択モードに応じて上記撮影画像を編集してプリント用画像を得る画像編集処理と、
上記プリント用画像をプリントするプリント処理と、を含むことを特徴とする請求項５に記載の写真撮影プリント装置の制御方法。
【請求項７】
上記撮影画像を、当該撮影画像の撮影時の選択モードに対応づけて記憶する記憶処理を含むことを特徴とする請求項６に記載の写真撮影プリント装置の制御方法。
【請求項８】
利用者の状態を検知する利用者状態検知処理をさらに含み、
上記モード選択処理では、上記利用者状態検知処理において検知した利用者情報に基づいて上記選択モードを決定することを特徴とする請求項５から７のいずれか１項に記載の写真撮影プリント装置の制御方法。
【請求項９】
自装置の状態を検知する装置状態検知処理をさらに含み、
上記モード選択処理では、上記装置状態検知処理において検知した装置情報に基づいて上記選択モードを決定することを特徴とする請求項５から８のいずれか１項に記載の写真撮影プリント装置の制御方法。
【請求項１０】
上記画像編集処理が、あらかじめ利用者に提示しない秘密画像を上記プリント用画像に追加する秘密画像追加処理を含むことを特徴とする請求項６から９のいずれか１項に記載の写真撮影プリント装置の制御方法。
【請求項１１】
上記秘密画像追加処理では、利用者の入力に基づいて上記プリント用画像に対する上記秘密画像の位置を決定することを特徴とする請求項１０に記載の写真撮影プリント装置の制御方法。
【請求項１２】
請求項５から１１のいずれか１項に記載の写真撮影プリント装置の制御方法を実行するための写真撮影プリント装置の制御プログラムであって、コンピュータに上記の各処理を実行させるための写真撮影プリント装置の制御プログラム。
【請求項１３】
請求項１２に記載の写真撮影プリント装置の制御プログラムを記録したコンピュータ読み取り可能な記録媒体。
【発明の詳細な説明】
【０００１】
【発明の属する技術分野】
本発明は、例えばゲームセンタなどに設置され、利用者の顔や姿を撮影した写真をプリントする写真撮影プリント装置、およびそれに適用されるプリント紙ユニット、写真撮影プリント装置の制御方法、写真撮影プリント装置の制御プログラムならびにそれを記録したコンピュータ読み取り可能な記録媒体に関するものである。
【０００２】
【従来の技術】
従来、例えばゲームセンタなどの娯楽施設において、利用者の写真撮影を行うとともに、その写真を背景画像などと合成した上でシールプリントとして出力する写真撮影プリント装置が設置されており、人気を博している。特に、写真を撮影した後、表示画面上に表示した撮影画像に対してタッチペンなどのポインティングデバイスによって落書き（画像編集）を行い、画面で確認後、プリントする機種が普及している。
【０００３】
この落書き機能では、例えば、色や太さ、模様等が異なる複数タイプのペン（ブラシ）をディスプレイに表示して利用者に選択させ、ディスプレイに表示した撮影画像の上に、利用者によってタッチペンで描かれた点、または、線が選択されたタイプのペンにて描かれるようになっている。また、異なる模様のスタンプを選択しディスプレイに表示した撮影画像の上に、利用者によってタッチペンで指定された位置にスタンプを描画するようになっている。加えて、ペンの軌跡上にある一定間隔で４コママンガのように変化する絵柄を描画するコロコロスタンプという機能も一般的である。
【０００４】
また、例えば、公開特許公報「特開２０００−６９４０４号（公開日：平成１２年３月３日）」には、利用者が撮影画像に化粧処理を施して、自分の好みのプリント画像を印刷することができる画像プリント作成装置が開示されている。
【０００５】
さらに、撮影機器についても、複数のカメラや複数の照明を駆使して、様々な撮影効果を提供する写真撮影プリント装置が増加している。
【０００６】
【発明が解決しようとする課題】
写真撮影プリント装置においては、撮影の美しさとともに、撮影遊びや落書き遊びの要素も大きく、娯楽性が求められている。また、出力するシールプリントの娯楽性も求められている。そして、利用者に反復的に利用させるためには、好みなどが千差万別である利用者を飽きさせないようにしなければならない。
【０００７】
そのため、写真撮影プリント装置においては、落書きの高機能化とコンテンツ（絵柄）の増大はとどまることを知らない。その結果、利用者は、制限時間の間に、膨大な数の機能やコンテンツから使用するものを選択して落書きを行わねばならず、撮影イメージに合った最適な機能およびコンテンツを使って落書きすることが難しかった。すなわち、機能およびコンテンツが膨大であるため、利用者が使いこなすことが困難になっている。
【０００８】
また、写真撮影プリント装置においては、上記のように落書き機能が多様化する一方で、落書きに使用するタッチパネル以外の設備が撮影の雰囲気作りにほとんど役立っていなかった。そのため、娯楽性には重要な要素であるにもかかわらず、装置全体としての雰囲気作りが十分でなかった。すなわち、利用者が操作する撮影環境の一貫した雰囲気作りが難しかった。
【０００９】
本発明は、上記の問題点を解決するためになされたもので、その目的は、装置全体として明確な雰囲気を多様に演出することができる写真撮影プリント装置、およびそれに適用されるプリント紙ユニット、写真撮影プリント装置の制御方法を提供することにある。また、本発明の目的には、上記写真撮影プリント装置を実現する写真撮影プリントの制御プログラム、およびこれを記録したコンピュータ読み取り可能な記録媒体を提供することも含まれる。
【００１０】
【課題を解決するための手段】
上記の課題を解決するために、本発明の写真撮影プリント装置は、利用者を撮影した画像をプリントする写真撮影プリント装置において、あらかじめ設定されている複数のモードから１つを選択モードとして選択するモード選択手段と、上記選択モードに応じた演出をする演出手段と、を備えることを特徴としている。
【００１１】
また、本発明の写真撮影プリント装置の制御方法は、利用者を撮影した画像をプリントする写真撮影プリント装置の制御方法において、あらかじめ設定されている複数のモードから１つを選択モードとして選択するモード選択処理と、演出装置を上記選択モードに応じて制御する演出制御処理と、を含むことを特徴としている。
【００１２】
上記の構成および方法により、上記写真撮影プリント装置は、複数のモードを有し、かつ、複数のモードから１つ選択された選択モードに応じた雰囲気を自装置に作り出すように演出手段（演出装置）を制御する。
【００１３】
よって、上記写真撮影プリント装置は、モードごとに装置全体として明確な雰囲気を多様に演出できる。ここで、演出手段とは、操作画面および誘導音声等のユーザインターフェイスや、小道具、照明、音声あるいは振動等や、色合い等のプリント設定等の統一されたセットである。
【００１４】
したがって、１つのモードとして統一した雰囲気を多様に作り出すことができるため、利用者に十分な娯楽性を提供できる写真撮影プリント装置を安価に実現できる。
【００１５】
さらに、本発明の写真撮影プリント装置は、利用者を撮影して撮影画像を得る撮影手段と、上記撮影画像を編集してプリント用画像を得る画像編集手段と、上記プリント用画像をプリントするプリント手段とを備え、かつ、上記画像編集手段が上記選択モードに応じて動作するものであることを特徴としている。
また、本発明の写真撮影プリント装置の制御方法は、利用者を撮影して撮影画像を得る撮影処理と、上記選択モードに応じて上記撮影画像を編集してプリント用画像を得る画像編集処理と、上記プリント用画像をプリントするプリント処理と、を含むことを特徴としている。
【００１６】
上記の構成および方法により、さらに、上記写真撮影プリント装置は、選択モードに応じた画像編集処理を行うことができる。よって、利用者を撮影した撮影画像に対して、写真撮影プリント装置の全体の雰囲気に合致した画像編集処理を行ってプリントすることができる。すなわち、撮影画像に対して写真撮影プリント装置の雰囲気に応じた画像の付加等の画像処理が可能となる。加えて、選択モードに応じた撮影効果を伴う撮影を行うように撮影手段を制御すれば、撮影効果に適した画像編集が可能となる。
【００１７】
さらに、本発明の写真撮影プリント装置は、上記撮影画像を、当該撮影画像の撮影時の選択モードに対応づけて記憶する記憶手段を備えることを特徴としている。
【００１８】
また、本発明の写真撮影プリント装置の制御方法は、上記撮影画像を、当該撮影画像の撮影時の選択モードに対応づけて記憶する記憶処理を含むことを特徴としている。
【００１９】
上記の構成および方法により、さらに、撮影画像を撮影した時の選択モードを特定できる。よって、写真撮影プリント装置は、撮影画像を処理する際、その撮影画像の撮影時の選択モードに応じた動作が可能となる。例えば、撮影画像を表示もしくは編集する際、撮影時の選択モードに応じた編集や演出装置による演出が可能となる。したがって、撮影ごとに選択モードを切り換えながら複数回撮影した場合でも、撮影時の選択モードに合致した雰囲気で各撮影画像を表示もしくは編集できる。
【００２０】
さらに、本発明の写真撮影プリント装置の制御方法は、利用者の状態を検知する利用者状態検知処理をさらに含み、上記モード選択処理では、上記利用者状態検知処理において検知した利用者情報に基づいて上記選択モードを決定することを特徴としている。なお、本発明の写真撮影プリント装置は、利用者の状態を検知する利用者状態検知手段をさらに備え、上記モード選択手段は、上記利用者状態検知手段が検知した利用者情報に基づいて上記選択モードを決定するものであることが好ましい。
【００２１】
上記の方法により、さらに、上記写真撮影プリント装置は、利用者の状態を検知した利用者情報に基づいて選択モードを決定することできる。ここで、利用者情報としては、例えば、利用者の人数や、利用者の身長や顔画像に基づく年齢等が挙げられる。
【００２２】
さらに、本発明の写真撮影プリント装置の制御方法は、自装置の状態を検知する装置状態検知処理をさらに含み、上記モード選択処理では、上記装置状態検知処理において検知した装置情報に基づいて上記選択モードを決定することを特徴としている。なお、本発明の写真撮影プリント装置は、自装置の状態を検知する装置状態検知手段をさらに備え、上記モード選択手段は、上記装置状態検知手段が検知した装置情報に基づいて上記選択モードを決定するものであることが好ましい。
【００２３】
上記の方法により、さらに、上記写真撮影プリント装置は、自装置の状態を検知した装置情報に基づいて選択モードを決定することできる。ここで、装置情報としては、例えば、自装置の稼働率、周囲の人通り、時刻等が挙げられる。
【００２４】
さらに、本発明の写真撮影プリント装置の制御方法は、上記画像編集処理が、あらかじめ利用者に提示しない秘密画像を上記プリント用画像に追加する秘密画像追加処理を含むことを特徴としている。なお、本発明の写真撮影プリント装置は、上記画像編集手段は、あらかじめ利用者に提示しない秘密画像を上記プリント用画像に追加する秘密画像追加手段を備えることが好ましい。
【００２５】
上記の方法により、さらに、上記写真撮影プリント装置は、選択モードに応じた秘密画像を、利用者に提示することなく追加してプリントすることができる。よって、利用者がプリント後に初めて秘密画像を見ることになるため、出力の意外性を楽しむことができる。そして、この機能を利用すれば、プレゼントや割引等の抽選や、おみくじ等の占いが可能になり、簡便に楽しむことができ、かつ、飽きが来ない多様なコンテンツを提供することが可能となる。
【００２６】
さらに、本発明の写真撮影プリント装置の制御方法は、上記秘密画像追加処理では、利用者の入力に基づいて上記プリント用画像に対する上記秘密画像の位置を決定することを特徴としている。なお、本発明の写真撮影プリント装置は、上記秘密画像追加手段は、利用者の入力に基づいて上記プリント用画像に対する上記秘密画像の位置を決定するものであることが好ましい。
【００２７】
上記の方法により、さらに、上記写真撮影プリント装置は、秘密画像を利用者が指定する位置に配置する。よって、利用者があらかじめ提示されない秘密画像と他の画像との位置関係を調整できる。
【００２８】
また、本発明のプリント紙ユニットは、上記の写真撮影プリント装置に搭載されるプリント紙ユニットであって、プリント用画像が印刷されるプリント紙と、当該プリント紙に関する識別情報を記録する識別媒体とを備えるとともに、上記写真撮影プリント装置が具備する識別情報読み取り手段によって、上記識別媒体から識別情報が読み取られ、その内容が確認された上で上記プリント紙に上記プリント用画像がプリントされるものであることを特徴としている。
【００２９】
上記の構成によれば、識別情報読み取り手段で読みとった識別情報に基づいて、装着されたプリント紙が、当該写真撮影プリント装置において利用可能なものであるかを判定し、利用可能である場合にのみプリンタを動作可能とすることが可能となる。すなわち、写真撮影プリント装置において指定されているプリント紙以外は使用できないように設定することが可能となる。
【００３０】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００３１】
また、識別情報に用紙種類情報を含ませることによって、これらを考慮して画像データの色成分などを補正することにより、その用紙やインクフィルムに的確な画像出力を行うことが可能となる。
【００３２】
また、本発明の写真撮影プリント装置の制御プログラムは、コンピュータで上記写真撮影プリント装置の制御方法の各処理を実行するコンピュータ・プログラムである。
【００３３】
上記の構成により、コンピュータで上記写真撮影プリント装置の制御方法の各処理を実行することによって、上記写真撮影プリント装置の制御方法を実現することができる。したがって、上記した写真撮影プリント装置の制御方法の効果である、装置全体として明確な雰囲気を多様に演出することができるという効果を奏する。
【００３４】
また、本発明の写真撮影プリント装置の制御プログラムを記録したコンピュータ読み取り可能な記録媒体は、上記の各処理をコンピュータに実行させて、上記写真撮影プリント装置を制御する写真撮影プリント装置の制御プログラムを記録したコンピュータ読み取り可能な記録媒体である。
【００３５】
上記の構成により、上記記録媒体から読み出された写真撮影プリント装置の制御プログラムによって、上記写真撮影プリント装置の制御方法をコンピュータで実現することができる。
【００３６】
【発明の実施の形態】
〔実施の形態１〕
本発明の一実施の形態について図１から図１１に基づいて説明すれば、以下のとおりである。
【００３７】
本実施の形態に係る写真撮影プリント装置１，１′は、利用者の写真を撮影する機能、撮影した写真に対して落書きなどの編集を利用者に行わせる機能、編集された画像をプリントする機能を少なくとも有している。
【００３８】
そして、写真撮影プリント装置１，１′では、ユーザインタフェースと、その他の装置と、画像編集のコンテンツとが、選択モードに応じて、統一的に装置全体の雰囲気を作り出す。よって、具体的な装置構成は、写真撮影プリント装置１（図２〜図４）や写真撮影プリント装置１′（図５）に限定されない。
【００３９】
なお、以下では、撮影した画像に画像編集処理において落書きする場合について説明するが、この画像編集処理では落書き以外の画像編集全般の処理が可能である。また、選択モードとしてホラーモードについて詳細に説明するが、写真撮影プリント装置１，１′は、任意のモードについて適当なハードウェア構成（例えば仰角照明装置１７ｃ）およびソフトウェア構成に変更できる。
【００４０】
まず、図２から図４を参照しながら、写真撮影プリント装置１の外観について説明する。図２は、写真撮影プリント装置１の撮影部屋Ｒ１を示す斜視図である。図３は、写真撮影プリント装置１の落書き部屋Ｒ２を示す斜視図である。図４は、写真撮影プリント装置１の利用時の利用者の動きを示す説明図である。
【００４１】
図４に示すように、写真撮影プリント装置１は、装置本体１１の対向する二面のそれぞれの前方空間が撮影部屋Ｒ１あるいは落書き部屋Ｒ２になるように構成されている。これらの撮影部屋Ｒ１および落書き部屋Ｒ２の外周には、遮光性を有するビニールシートなどから構成される周囲幕（図２、図３の二点鎖線）が設けられている。この周囲幕によって、撮影時に外部からの光が撮影領域に入ってくることを防止することが可能となり、より良好な撮影を行うことが可能となる。また、この周囲幕によって、撮影処理中および落書き処理中に照明や音声による演出が効果的になるとともに、外部からののぞき見等を防いでプライバシーを保護することが可能である。
【００４２】
図２に示すように、装置本体１１は、撮影部屋Ｒ１側に、カメラ１２、タッチパネル１３、操作ボタン１４、コイン投入口１５、コイン返却口１６、前面照明装置１７ａ、仰角照明装置１７ｃ、フロントスピーカ１８ａを備えている。さらに、撮影部屋Ｒ１には、天井照明装置１７ｂ（図３）、リアスピーカ１８ｂが設けられている。
【００４３】
また、図３に示すように、装置本体１１は、落書き部屋Ｒ２側に、タッチパネル２１、タッチペン２２、フロントスピーカ１８ｃを備えている。さらに、落書き部屋Ｒ２には、天井照明装置１７ｄ、リアスピーカ１８ｄが設けられている。加えて、図３に示すように、装置本体１１の側面に、プリント排出口１９が設けられている。
【００４４】
カメラ（撮影手段）１２は、利用者の写真を撮影する。カメラ１２は、内部に例えばレンズ群、絞り、ＣＣＤ（ｃｈａｒｇｅ　ｃｏｕｐｌｅｄ　ｄｅｖｉｃｅ）撮像素子などを備えたデジタルカメラを搭載している。また、カメラ１２は、全身撮影やアップ撮影等の複数の撮影方法に対応できるように、レンズ群、絞り、フィルタ等を切り替え可能に構成されてもよい。また、カメラ１２は、垂直に設けられたレールによって昇降自在に取り付けられており、利用者の指示等に応じて最適な高さに設置できる。
【００４５】
タッチパネル１３およびタッチパネル２１は、例えば液晶表示素子などのフラットパネルディスプレイやＣＲＴ（ｃａｔｈｏｄｅ　ｒａｙ　ｔｕｂｅ）等の表示面にタッチセンサを設けて構成されている。
【００４６】
タッチパネル（演出装置、演出手段、ユーザインターフェイス手段）１３は、撮影部屋Ｒ１に設けられており、撮影処理における各種メッセージや画像などを表示する。具体的には、タッチパネル１３には、デモ画面、オープニング画面、課金処理指示画面、撮影処理における各種操作内容、撮影時の撮影画面などが表示される。
【００４７】
操作ボタン１４は、タッチパネル１３を用いずに行う操作入力のために設けれている。なお、タッチパネル１３から入力可能な操作であっても、同時に操作ボタン１４から入力可能にしてもよい。
【００４８】
タッチパネル（演出装置、演出手段、ユーザインターフェイス手段）２１は、落書き部屋Ｒ２に設けられており、落書き処理における各種メッセージや画像などを表示する。具体的には、タッチパネル２１には、落書きなどの画像編集処理時における編集対象の画像および各種編集ツールなどが表示される。このように、写真撮影プリント装置１が動作する上で、利用者に対して提示すべき各種メッセージや画像などの表示は、タッチパネル１３あるいはタッチパネル２１によって行われる。
【００４９】
そして、タッチパネル２１の近傍（図３ではタッチパネル２１の下方）には、タッチペン２２が備えられている。利用者は、このタッチペン２２をタッチパネル２１に接触させることによって、処理の進行に応じて表示されるボタンを選択したり、落書きなどの画像描画を行ったりすることが可能となる。
【００５０】
ここで、図３に示すように、写真撮影プリント装置１にはタッチパネル２１およびタッチペン２２が２組並設されている。これにより、２つのタッチパネル２１・２１にそれぞれに表示された撮影画像に、２人の利用者が同時に落書き処理などを入力することができる。なお、タッチパネル２１・２１には、異なる撮影画像をそれぞれ表示させることができ、利用者は、別々の撮影画像に対して落書き処理などを入力することもできる。また、落書き処理において、一方のタッチパネル２１から入力された落書き処理を他方のタッチパネル２１に反映される反映処理や落書き可能範囲を制限する処理などが、画像編集部５２（図１）によって行われる。
【００５１】
コイン投入口１５は、利用者がプレイ料金として所定金額のコインを投入するための投入口である。また、コイン返却口１６は、釣り銭が生じた場合や、コインが投入された後でリセットされた場合に、コインを利用者に対して返却するための返却口である。なお、コイン投入口６に所定料金が投入されたか否かのチェック処理や釣り銭処理などが、課金処理部３２（図１）によって行われる。また、装置本体１１の内部には、利用者から徴収したコインを蓄積するコイン容器（図示せず）が設けられている。
【００５２】
プリント排出口１９は、利用者が撮影作業および編集作業を終了した後に、プリントされた写真プリントが排出される箇所である。このプリント排出口１９は、上記筐体の側面に配置されており、編集作業を終了した利用者は、このプリント排出口１９の近傍に移動して写真プリントを取り出すことになる（図４）。
【００５３】
撮影部屋Ｒ１の前面照明装置１７ａおよび天井照明装置１７ｂは、撮影時にフラッシュとして機能するとともに、通常時の照明として機能する。この照明装置５の内部には、例えばフラッシュ時に発光するストロボ照明部、および通常時の照明として発光する蛍光灯などが備えられている。仰角照明装置１７ｃは、後述するようにホラーモードにおいて、利用者の顔の下から投光するためのライトである。なお、写真撮影プリント装置１は、仰角照明装置１７ｃのように、特定のモードでの特殊な照明効果を目的とする照明装置を適宜配設することが可能である。また、落書き部屋Ｒ２の天井照明装置１７ｄは、落書き中の照明として機能する。
【００５４】
ここで、写真撮影プリント装置１の照明装置（演出装置、演出手段）１７（以下、前面照明装置１７ａ，天井照明装置１７ｂ，仰角照明装置１７ｃ，天井照明装置１７ｄを含み、写真撮影プリント装置１の照明装置を総称するために、「照明装置１７」と記す。）は、写真撮影プリント装置１の雰囲気を作り出す演出装置として、演出装置制御部５１（図１）によりモードに応じて制御される。よって、写真撮影プリント装置１には、照明装置１７ａ〜１７ｄの他にも、撮影部屋Ｒ１および落書き部屋Ｒ２の内部あるいは外部に、演出用の照明装置が設けられていてもよい。
【００５５】
スピーカ（演出装置、演出手段、ユーザインターフェイス手段）１８（以下、フロントスピーカ１８ａ、リアスピーカ１８ｂ、フロントスピーカ１８ｃ、リアスピーカ１８ｄを含み、写真撮影プリント装置１の拡声装置を総称するために、「スピーカ１８」と記す。）は、利用者に対して各種操作上のガイダンス音声や効果音などを出力する。そして、スピーカ１８は、写真撮影プリント装置１の雰囲気を作り出す演出装置として、演出装置制御部５１（図１）によりモードに応じて制御される。よって、写真撮影プリント装置１には、スピーカ１８ａ〜１８ｄの他にも、撮影部屋Ｒ１および落書き部屋Ｒ２の内部あるいは外部に、演出用のスピーカが設けられていてもよい。
【００５６】
以上により、図３に示すように、写真撮影プリント装置１では、次の流れに従ってサービスを提供する。▲１▼利用者が撮影部屋Ｒ１へ入り、明るさ調整して撮影する。▲２▼利用者が落書き部屋Ｒ２へ移動して、落書きを行い、印刷する。▲３▼利用者が落書き部屋Ｒ２から出て、シールの排出を待って、シールを受け取る。
【００５７】
よって、写真撮影プリント装置１によれば、撮影処理を行う撮影部屋Ｒ１と落書き処理を行う落書き部屋Ｒ２とが分離されているため、撮影部屋Ｒ１と落書き部屋Ｒ２とにおいて二重に接客することが可能であり、利用者の回転率に優れている。
【００５８】
次に、図５を参照しながら、写真撮影プリント装置１の変形例である写真撮影プリント装置１′の外観について説明する。なお、写真撮影プリント装置１，１′は、基本的に同一の構成を備えている。
【００５９】
写真撮影プリント装置１′は、写真撮影プリント装置１とは異なり、撮影処理と落書き処理とを１部屋で行う構成である。そのため、写真撮影プリント装置１′では、落書き処理を行うタッチパネル２１に、撮影処理における各種メッセージや画像などを表示する。すなわち、写真撮影プリント装置１のタッチパネル２１には、写真撮影プリント装置１のタッチパネル１３の機能が追加されている。
【００６０】
よって、写真撮影プリント装置１′によれば、撮影処理と落書き処理とを利用者が部屋を移動することなく継続して行えるため、演出による雰囲気を持続させることができる。
【００６１】
次に、図１を参照しながら、上記写真撮影プリント装置１（１′）の機能構成について説明する。なお、写真撮影プリント装置１，１′は、同一の機能構成を備えているため、以下では写真撮影プリント装置１についてのみ説明する。
【００６２】
図１に示すように、写真撮影プリント装置１は、上述したカメラ１２、タッチパネル１３，２１、タッチペン２２、操作ボタン１４、照明装置１７、スピーカ１８に加えて、制御装置５０、記憶装置３１、課金処理部３２、ＩＤタグリーダ／ライタ３３、プリンタ３４を備えて構成されている。また、写真撮影プリント装置１は、プリント紙ユニット４０を搭載している。
【００６３】
制御装置５０は、写真撮影プリント装置１内における上述した各種構成の動作を統括的に制御する。制御装置５０は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置５０がインターネットなどの通信ネットワークに接続された構成とする場合、この通信ネットワークを介して上記プログラムをダウンロードしてハードディスクなどにインストールして実行する形態なども考えられる。
【００６４】
記憶装置３１は、上記したハードディスクなどの不揮発性の記憶装置によって構成されるものである。この記憶装置３１に記憶される内容としては、上記した制御プログラム（画像編集のコンテンツ等の選択モードに応じたデータを含む）、ＯＳ（ｏｐｅｒａｔｉｎｇ　ｓｙｓｔｅｍ）プログラム、およびその他各種プログラム、カメラ１２における動作設定値、撮影した画像および編集した画像の画像データなどが挙げられる。カメラ１２における動作設定値としては、装置出荷時やメンテナンス時などに設定されるホワイトバランスの値、撮影画像の明暗などを調整する際の画像処理に関する各種パラメータ値などが挙げられる。
【００６５】
課金処理部３２は、利用者から徴収する課金に関する処理を行う。課金処理部３２による課金状況に応じて、制御装置５０が利用者に対する動作を制御する。
【００６６】
ＩＤタグリーダ／ライタ（識別情報読み取り手段）３３およびプリンタ（プリント手段）３４は、プリンタユニットを構成しており、このプリンタユニットに対して、写真プリントの出力媒体となるプリント紙４２およびＩＤタグ（識別媒体）４１がプリント紙ユニット４０としてセットで装着されるようになっている。
【００６７】
プリンタ３４は、出力すべきプリント用画像の画像データが制御装置５０から送られてくると、その画像データに基づいてプリント紙４２に印刷を行う。このプリンタ３４としては、例えば昇華型プリンタが用いられる。なお、昇華型プリンタを用いる場合には、プリント紙４２およびＩＤタグ４１に加えて、昇華型用インクフィルムがセットととなって納入され、写真撮影プリント装置１に装着される。
【００６８】
ＩＤタグリーダ／ライタ３３は、ＩＤタグ４１に記録されている各種識別情報を読み出して制御装置５０に出力する。ＩＤタグ４１は、メモリ機能を有するＩＣチップなどによって構成される。上記識別情報としては、固有ＩＤ、用紙枚数、用紙種類、および、インク固有の色情報（インクフィルムがセットとなっている場合）などが挙げられる。
【００６９】
制御装置５０は、ＩＤタグリーダ／ライタ３３で読みとった識別情報に基づいて、装着されたプリント紙４２およびインクフィルムが、当該写真撮影プリント装置１において利用可能なものであるかを判定し、利用可能である場合にのみプリンタ３４を動作可能とする。すなわち、写真撮影プリント装置１において指定されているプリント紙４２およびインクフィルム以外は使用できないように設定されていることになる。
【００７０】
また、ＩＤタグ４１に記録されている用紙枚数情報に基づいて、プリント紙４２を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ４１に記録されている用紙枚数情報も書き換えるようにする。これにより、用紙を使い切った場合には、ＩＤタグ４１に記録されている用紙枚数情報も０となり、このＩＤタグ４１を無効にすることが可能となる。
【００７１】
また、ＩＤタグ４１に記録されている用紙種類情報や、インク固有の色情報を読み出すことによって、これらを考慮して画像データの色成分などを補正することにより、その用紙やインクフィルムに的確な画像出力を行うことが可能となる。
【００７２】
ＩＤタグ４１としては、無線によりデータ通信を行うことが可能な非接触型ＩＤタグと、端子が設けられた接触型ＩＤタグとがあり、ＩＤタグリーダ／ライタ３３としては、これらのどちらか一方あるいは両方に対応したものとなる。
【００７３】
なお、上記の例では、ＩＤタグ４１を利用して利用可能なプリント紙４２であるか否かを確認するようになっているが、これに限定するものではなく、例えば、プリント紙４２およびインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【００７４】
なお、上記のプリント紙４２としては、通常の紙状媒体である紙状シートであってもよいし、粘着シートおよび該粘着シールの粘着面に貼り付けられている剥離シートからなるシールシートであってもよい。
【００７５】
次に、制御装置５０について詳細に説明する。写真撮影プリント装置１では、図１に示すように、制御装置５０が、演出装置制御部５１、画像編集部５２、モード選択部５３、利用者状態検知部５４、装置状態検知部５５を備えて構成されている。
【００７６】
演出装置制御部（演出制御手段）５１は、写真撮影プリント装置１が備える機材（演出装置）を、写真の撮影および編集に必要な動作だけではなく、写真撮影プリント装置１に選択モードに応じた雰囲気を作り出すように演出装置を制御する。ここで、演出装置には、照明装置１７やスピーカ１８に加えて、タッチパネル１３，２１等のユーザインターフェイス機器、および、撮影の背景や周囲幕、タッチペン２２等の小道具なども含まれる。
【００７７】
具体的には、演出装置制御部５１は、照明装置１７（図２、図３の１７ａ〜１７ｄ）に対して、通常時の照明や撮影の瞬間にフラッシュ照明を行わせるなどの制御を行う。また、演出装置制御部５１は、照明装置１７に対して、写真撮影プリント装置１の雰囲気を作り出すように選択モードに応じた制御を行う。同様に、演出装置制御部５１は、スピーカ１８（図２、図３の１８ａ〜１８ｄ）に対して、音声による操作案内を行わせるなどの制御を行う。また、演出装置制御部５１は、スピーカ１８に対して、写真撮影プリント装置１の雰囲気を作り出すように選択モードに応じた制御を行う。さらに、演出装置制御部５１は、撮影の背景や周囲幕、タッチペン２２を、選択モードに合わせて交換することもできる。
【００７８】
また、演出装置制御部５１は、タッチパネル１３，２１やスピーカ１８等のユーザインターフェイス（ユーザインターフェイス手段）を制御するためのユーザインターフェイス制御部５１ａを備えている。
【００７９】
ユーザインターフェイス制御部５１ａは、上記ユーザインターフェイスを選択モードに応じて制御する。具体的には、ユーザインターフェイス制御部５１ａは、撮影処理および落書き処理における各種メッセージや画像などを、ユーザインターフェイスに選択モードに応じて提示させる。特に、ユーザインターフェイス制御部５１ａは、落書きなどの画像編集処理において、編集対象の画像および各種編集ツール（操作手段）などを画像編集部５２の要求に従ってタッチパネル２１に編集可能に表示する。
【００８０】
このように、ユーザインターフェイス制御部５１ａが、ユーザインターフェイスを制御して、操作画面や誘導音声等を選択モードに応じた形態で提示することにより、写真撮影プリント装置１には選択モードに合致した雰囲気が作られることになる。
【００８１】
画像編集部５２（画像編集手段）は、カメラ１２が利用者を撮影した撮影画像に対して、選択モードに応じた画像編集を行ってプリント用画像を作成する機能を有する。また、画像編集部５２は、自身が備える画像編集機能を利用者が使用するためのグラフィカルユーザインターフェイス（ＧＵＩ）等の操作手段を、タッチパネル２１およびスピーカ１８等のユーザインターフェイスにより提示する。具体的には、画像編集部５２は、選択モードに対応づけられた画像（背景、メニュー、スタンプ等）の表示、効果音の再生、プリントの色合い調整などを行う。なお、画像編集部５２がタッチパネル２１に表示した操作画面において入力されたモード変更指示は、モード選択部５３によって取得され、選択モードが決定される。
【００８２】
また、画像編集部５２は、秘密画像追加部５２ａを備えている。なお、秘密画像追加部５２ａについては後述する。
【００８３】
モード選択部（モード選択手段）５３は、取得したモード選択情報に基づき、あらかじめ設定されている複数のモードから１つを選択モードとして選択して、演出装置制御部５１および画像編集部５２に入力する。モード選択部５３が、モード選択情報に基づき選択モードを決定する基準は、モード選択部５３にあらかじめ格納されている。また、演出装置制御部５１および画像編集部５２は、モード選択部５３から選択モードが入力された時、当該選択モードに応じた制御を行うように制御内容を記憶装置３１にあらかじめ設定されているルールテーブルから読み出す。
【００８４】
ここで、モード選択部５３は、モード選択情報をタッチパネル２１等のユーザインターフェイスを介して利用者から取得できる。なお、モード選択部５３は、選択モードを、利用者が選択モードを指定する直接的な入力によって取得してもよいし、例えば複数の間接的な質問に対する利用者の回答に基づいて決定してもよい。
【００８５】
また、モード選択部５３は、利用者の状態を検知する利用者状態検知部（利用者状態検知手段）５４が検知した利用者情報に基づいて選択モードを決定できる。例えば、利用者状態検知部５４として撮影画像を解析する画像処理装置を設ければ、利用者の年齢や人数を利用者情報として選択モードの決定に利用できる。また、利用者状態検知部５４としてにおいセンサを設ければ、利用者が飲酒しているかどうかを利用者情報として選択モードの決定に利用できる。
【００８６】
また、モード選択部５３は、写真撮影プリント装置１の状態を検知する装置状態検知部（装置状態検知手段）５５が検知した装置情報に基づいて選択モードを決定できる。例えば、装置状態検知部５５としてタイマおよびカウンタを設ければ、写真撮影プリント装置１の稼働率を装置情報として選択モードの決定に利用できる。その他、装置情報としては、現在時刻、人通り、時間、温度、湿度、天候等も利用できる。さらに、これらの情報はネットワークを介して外部のセンサや情報提供装置から取得することもできる。
【００８７】
つづいて、図６を参照しながら、写真撮影プリント装置１の動作について説明する。
【００８８】
写真撮影プリント装置１は、まず、コイン投入口１５へのコインの投入を検出し、コイン投入口１５にコインが投入されるとプレイを開始する（Ｓ１１）。その後、利用者にモード選択を提示して、利用者からモード選択の入力を取得する。
【００８９】
次に、利用者が入力した情報に基づいて、モード選択部５３が選択モードを決定する（Ｓ１２）。そして、選択モードに応じて、タッチパネル２１の操作画面を変更する（Ｓ１３）。そして、これ以降の処理は選択モード（図６では、ノーマル、ホラー、キャラクタの別）に設定されている処理が実行される。
【００９０】
次に、利用者より撮影する画面構成が確定されると、カメラ１２によって利用者の写真を撮影する（Ｓ１４）。このとき、選択モードに応じた撮影処理を行う。
【００９１】
次に、タッチパネル２１の操作画面で、利用者が撮影画像に落書きをする（Ｓ１５）。ここで、落書き画面には選択モードで使用可能な絵柄（スタンプ等）を表示する。なお、落書き画面において利用者がモードを変更したら、選択モードに合わせて落書きの機能および絵柄を変更する。また、モードの選択は、プレイ開始直後、落書き編集中に取得できる。さらに、利用者状態検知部５４が検知した利用者情報や、装置状態検知部５５が検知した装置情報に基づいて、随時選択モードを変更することもできる。
【００９２】
最後に、利用者によって指定されたシール分割数でシールを作成する（Ｓ１６）。
【００９３】
以上のように、写真撮影プリント装置１では、選択するモードに応じて、撮影画面の表示、落書き画面の表示、落書き画面で使用できるコンテンツ、音声、操作画面、撮影方法、撮影時のカウントダウン方法、テンポ、分割数、プリント時の色合い設定などを切り替える。例えば、選択モードがホラーモードであれば、恐怖感、気持ち悪さ、不安感等を利用者に与えるイメージを操作場面に応じて配置するとともに、音声や照明を画面表示に連動させる。
【００９４】
このように選択モードごとに写真撮影プリント装置１全体の演出を変更することで、利用者は、撮影処理および落書き処理を一体の零囲気で遊ぶことができる。また、撮影の雰囲気に合わせた最適な落書き環境を利用者に提供できるため、限られた操作時間の中でも利用者に十分な満足度を与えることが可能となる。
【００９５】
つづいて、図７から図１１を参照しながら、タッチパネル１３，２１に表示される操作画面の具体例について説明する。
【００９６】
モード選択の初期画面（図示せず）において、利用者が“モードを選択してね！”の表記の下のタブを押すと、詳細なモード内容が表示される。そして、利用者が「完了」を押すと、選択したモードでプレイが進行する。
【００９７】
例えば、ホラーモードでは、図７に示したようなホラーモードのモード選択画面の表示を行い、利用者にモードの有する効果（これから怖くなる）を暗示するような画面表示を行い、「ちょっと怖いモード」か「とっても怖いモード」かの選択を利用者に求める。なお、モードの選択画面では、画面左下隅に操作制限時間が減算表示され、０になったら操作を完了して次の操作に移る。
【００９８】
利用者が図７の操作画面においてタブを押してキャラクタモードを選択すると、図８に示したようなキャラクタモードのモード選択画面を表示する。この画面では、利用者に好みのキャラクタの選択を求め、利用者が「完了」ボタンを押すと、利用者が選択したキャラクタのかわいらしい画面イメージによって、撮影画面および落書き画面を表示し、画像の処理を行う。
【００９９】
図９は、ホラーモードの撮影画面例である。撮影処理では、まず、全身撮影、すなわち利用者のほぼ全身が撮影されるような構図で撮影を行うか、アップ撮影、すなわち利用者の頭部や胸部近傍が大きく撮影されるような構図で撮影を行うかの選択が行われる。ここでの選択は、タッチパネル１３に利用者がタッチすることによって行われる。
【０１００】
そして、構図の選択が行われると、図９のように構図選択の確認画面を表示し、「完了」ボタンが押されると、カメラ１２により撮影する。なお、撮影時には、カメラ１２による撮影状態がタッチパネル１３上に表示され、利用者がポーズを決定した時点でシャッタ指示が行われ、カウントダウン表示の後にシャッタが切られる、というシーケンスが実行される。
【０１０１】
例えば、ホラーモードでは、図９に示すように、幽霊などの画像を操作表示に使用して利用者の恐怖感を与える。なお、撮影画面では、画面左下隅に操作制限時間が減算表示され、０になるまでの間「撮影開始」ボタンを押して撮影をすることができる。なお、残り時間の表示は、単なる数字による表示のみならず、残り時間が視覚的に確認することができるような、例えばアナログ時計風や円グラフなどの表示が行われることが好ましい。
【０１０２】
図１０は、ノーマルモードの落書き画面例である。落書き処理では、利用者は、画面に表示された「ペン」メニュー、「スタンプ」メニュー等を利用しながら落書き編集を行う。なお、落書き画面のイメージはプレイ開始時のモード選択で決定されるが、画面上方の「ノーマル」「ホラ−」「ロマンチック」「セクシー」「キャラクタ」タブを押すことでモードを切り替えることも可能である。すなわち、落書き操作画面では、例えば利用者がボタンを押すことで選択したモードを、再び変更することもでき、違う画面や落書きアイテムで落書きを行うことができる。
【０１０３】
上記の落書き処理について、ノーマルモードでの表示画面（図１０）を参照しながら説明する。なお、落書き処理は落書き部屋Ｒ２で行われるため、写真撮影プリント装置１の場合、落書き処理での表示画面は、タッチパネル２１に表示される（図３）。
【０１０４】
図１０に示すように、落書き処理では、表示画面の中央に、編集対象となる画像が表示され、この画像に対してタッチペン２２を用いてスタンプなどの落書き処理が行われる。この画像の左には、落書き処理を行うためのツール類の選択領域が表示される。ツール類としては、例えば複数の種類からなるペンおよびその色、消しゴム、複数の背景の模様およびその色、複数のスタンプなどが挙げられる。
【０１０５】
また、編集対象となる画像の右には、編集対象となる画像を選択するための選択画像、すなわち、落書きをしてプリントさせる編集対象画像を選択するための画像が表示される。利用者は、これらの画像をタッチペン２２によってタッチすることによって、中央に編集対象として表示される画像を切り替えることができる。
【０１０６】
また、表示画面の左下隅に、落書き処理を行うことが可能な制限時間の残り時間が表示される。なお、落書き処理のための制限時間がなくなるか、編集終了（「落書きおわり」ボタン押下）が利用者から入力されると、落書き処理が終了する。そして、利用者に落書き部屋の外でプリントの完成を待つように誘導する退出指示を画面に表示する。これにより、利用者は落書き終了後にプリント排出口１９に移動することになる。
【０１０７】
図１１は、ホラーモードの落書き画面例である。利用者は、画面左の火の玉のアイコン（操作手段）７１でペンを選択し、画面右のガイコツや目玉等のアイコン（操作手段）７２でスタンプを選択しながら落書き編集を行う。
【０１０８】
具体的には、ホラーモードの落書き画面では、ホラーに関連した画面表示となり、かつ、スタンプは、火の玉やヒトダマ、墓石など、コロコロスタンプは、ゾンビが歩いたり、背景は、墓地、ゴーストタウン、地獄絵巻、廃墟などが選択可能となる。例えば、スタンプメニューから火の玉を選択した場合、ペンを押すと火の玉を配置するが、ペンを押し続けていると火の玉の燃え方が激しくなったり、消えかかったりなどの表示効果が得られ、利用者は気に入った燃え方のところでペンを離すと、その火の玉が編集画面に反映される。また、ペンもしくはコロコロスタンプにおいては、火の玉のコンテンツを選択して、ペンを押して軌跡を描き、ペンを離すと、軌跡の終了点に火の玉を描き、軌跡の開始点から終了点にかけて火の玉が浮遊したような効果を出すようにぼんやりした軌跡画像を描画する。
【０１０９】
ここで、スタンプとして、選択モードに対応した文字（文言）よりなる絵柄が選択可能であってもよい。選択モードに対応した文字としては、例えば、選択モードの名称（ホラー、ファンタジーなど）であってもよいし、選択モードから連想される言葉であってもよい。選択モードから連想される言葉としては、ホラーモードであれば、“うらめしぃやぁ”、“さむぅ。。”、“いやぁ。。”、“たすけてぇー”などが考えられる。また、ロマンチックモードであれば、“ラブラブ”、“幸せ”、“ちゅ！”、“あつあつ”、“熱愛中！”などが考えられる。このように、選択モードから連想される文言を含む文字列をスタンプにより撮影画像に合成することで、画像の表現や利用者の心理状態（幸せ感、恐怖感等）を強調できる。
【０１１０】
もちろん、選択モードに対応した文字スタンプの絵柄は、選択モードに対応してあらかじめ記憶装置３１に記憶されている。同様に、利用者が落書き画面で選択可能な背景の絵柄は、選択モードに対応してあらかじめ記憶装置３１に記憶されている。
【０１１１】
また、例えば、童話や漫画などのキャラクタのモードの場合、落書き画面の背景には縛麗な星空、星や月惑星、星座、プラネタリウムなどのロマンチックなコンテンツを選択可能であり、ペンの軌跡に応じてハレー彗星のように星屑をばらまくような表示効果を与えてもよい。
【０１１２】
また、雪国などの季節モードの場合、ペンで描画した軌跡に応じてスキーヤーがすべったり、雪だまが軌跡の上を転がって白い軌跡が残るなどの効果を提供してもよい。また、雪国のモードでは、ＢＧＭに吹雪の音を流し、操作画面に雪が積もり、ボタンが雪に隠れ、ペンで雪をはらってボタンを表示させないと操作ができないようにしてもよい。さらに、操作の制限時間が近づくと“ちゃんと操作するんだ、寝るんじゃない、寝たら死んじゃうぞ”などの音声案内がなされるようにしてもよい。
【０１１３】
また、アフリカの動物のモードでは、ＢＧＭにアフリカの動物の声や原住民の音楽を流し、ボタン押下等の操作に対して、ゾウの“ぱぉーん”という声を再生してもよい。また、落書き時には、動物のスタンプを選択できるようにして、それぞれ配置するとその動物の声を再生してもよい。さらに、制限時間が近づくと「獲物を狙うライオンのほえ声」がだんだん近づいてきて、口をあけたライオンに食べられるようなアニメーションを表示してもよい。
【０１１４】
また、海などの地域のモードでは、コロコロスタンプでカニが歩いたり、カモメが飛んだり、ペンで軌跡を描くと船が波を残しながら進む絵柄を描画してもよい。また、波の軌跡は、実際に波を撮影した画像のテクスチャを取得し、画像を撮影画像に合成してもよい。
【０１１５】
なお、撮影画像と背景との合成は、例えば、撮影画像からクロマキーなどの処理で抽出した人物領域を背景画像に合成することによって行う。また、スタンプ等の画像を撮影画像に合成する処理では、次のように半透明に合成することができる。例えば、波が立っている部分を前景色である白とし、他の部分を徐々に背景である撮影画像に溶け込むように合成してもよい。また、ホラーモードでは、人の輪郭部分を白で表示し、他の部分を徐々に撮影画像に溶け込むように合成すれば、背後霊、幽霊のような効果を得ることができる。また、下に行くほど撮影画像を背景に溶けませて合成すれば、いわゆる、幽霊のような効果を得ることができる。
【０１１６】
さらに、例えば、ホラーモードでは、ホラー効果を演出するために、以下のような制御を行うことができる。音声に連動して照明の点灯方法等を変更して撮影すれば、利用者がおびえる表情を撮影できる。具体的には、音声、照明、画面表示を連動させて、利用者の恐怖、おびえが最高潮に達すると思われるところで、照明（仰角照明装置１７ｃ）を下から上に照射した状態で、利用者を撮影する。これは、夜、顔の下からライトを当てて“おばけぇ”と人を脅かす照明効果を応用したものである。
【０１１７】
また、ＢＧＭに夜に鳴く鈴虫やこうろぎの音にして、夜の墓地を演出する。“うらめしぃーやぁ”等の音声に合わせて、照明の点滅、消灯を不定期に繰り返すことで、幽霊の影響で照明が消されるような効果を模擬できる。また、天井にかさが付いた古い白熱電球の飾りがぶら下げて、幽霊の音声に合わせて電球を揺らすことで、ポルダーガイスト現象を模擬できる。
【０１１８】
また、音声に合わせて、操作画面の表示をガタガタと揺れるように表示したり、不定期に消したり、看板のように倒れた表示にしたり、画面に血しぶきを表示したり、画面をアイスクリームのように溶ける表示にすることもできる。また、撮影場面、落書き場面に移るごとに古い屋敷の戸を開ける音（“ぎぃーー、ばたん”）など効果音を出してもよい。
【０１１９】
また、撮影、落書きの制限時間に合わせて、利用者の背面のスピーカ（リアスピーカ１８ｄ）からゾンビが近づいてくる効果音（“コツコツコツ”や“ぺったん。ぺったん。”）をだんだん大きく出力し、制限時間が終わったときに、画面にゾンビが覆い被さるようなアニメーションを表示した後、次の操作場面に移ってもよい。また、画面表示、メニュー表示以外に照明を突然消す、お経を流すなどの照明、音声を併用すれば、ホラーをより強く演出できる。
【０１２０】
また、ホラーモードのときは、色合い設定を青みを強くしてプリントしてもよい。
【０１２１】
ここで、写真撮影プリント装置１は、モード選択画面において利用者に、複数のモードとその実行順序をまとめて選択・決定させ、そのあと決定された実行順序に従い各モードの撮影を実行してもよい。
【０１２２】
この場合の具体的な処理は例えば以下のような流れとなる。なお、選択可能なモードには、ノーマル、ホラー、ロマンチック、セクシー、キャラクタの５つがあるとする。
【０１２３】
写真撮影プリント装置１は、まず、コイン投入口１５へのコインの投入を検出し、コイン投入口１５にコインが投入されるとプレイを開始する。その後、利用者に５つのモードを一覧表示してモード選択を促し、利用者からモード選択および実行順序の入力を取得する。このとき、モード選択部５３が、利用者が入力した情報に基づいて、選択モードおよび実行順序を決定する。ここでは、利用者が５つのモードから３つを希望する順序で選択したものとする。
【０１２４】
つづいて、制御装置５０は、選択された３つのモードでの撮影処理（Ｓ１４）を、モードを切り換えながら順番に実行する。そして、指定された全てのモードでの撮影が終了すると、落書き（Ｓ１５）、シール分割数選択（Ｓ１６）を順に行う（図６）。なお、各処理の詳細は、図６から図１１を参照しながら上述したとおりである。
【０１２５】
このように複数のモードを一括して処理する場合、落書き処理の際、ユーザインターフェイス制御部５１ａは、各モードでの撮影画像をサムネール表示し、落書きする撮影画像を利用者に選択させる。これにより、利用者は、提示された３つのモードの撮影画像のサムネールを適宜選択することにより、希望するモードの撮影画像に対して、ペン、スタンプ等を利用した落書き処理を行うことができる。
【０１２６】
例えば、画像編集画面は、複数の撮影画像をそれぞれサムネール形式で画面に表示し、利用者がサムネール画像をタッチペンなどで選択することで、中央の編集領域に撮影画像を拡大表示させ編集を受け付ける構成としてもよい。こうすることで、複数の撮影画像から効率よく希望する画像を選択して、落書き編集を行うことができる。
【０１２７】
さらに、サムネール画像および落書きを行う拡大画像の近傍に、画像撮影時のモード名を一緒に表示してもよい。これにより、利用者は、どのモードで撮影したかを、文言を見て思い出すことができるため、より落書き処理の流れをイメージしやすくなる。
【０１２８】
また、写真撮影プリント装置１は、モード選択処理および撮影処理を所定の回数まで繰り返し行うことを利用者に許可してもよい。これにより、利用者は、複数回の各撮影ごとにモードを選びながら撮影することができる。よって、撮影ごとに違う演出で撮影できるため、遊びの幅が広がり、利用者の満足度を向上させることができる。なお、撮影ごとに撮影モードを選択しながら複数回撮影する場合でも、落書き処理の際、各モードでの撮影画像をサムネール表示し、落書きする撮影画像を利用者に選択させることができる。
【０１２９】
このように１回のプレイに複数のモードが含まれる場合、写真撮影プリント装置１は、撮影画像をその撮影画像が撮影されたモードを特定する情報（例えばモードの名称）に対応づけて記憶装置３１あるいは制御装置５０のメモリ（図示せず）に記憶する。また、サムネール画像を記憶装置３１あるいは制御装置５０のメモリに記憶する場合、撮影時のモードと対応づけて記憶する。これにより、撮影画像およびサムネール画像がどのモードで撮影されたものであるかを、落書き編集画面に表示できる。よって、利用者がサムネール画像から希望画像を選択する時などに、ユーザインターフェイス制御部５１ａは、撮影時のモードに合致した絵柄（ペン、スタンプ、背景等）や効果画面イメージを適宜切り換えて表示できる。それゆえ、モードに関連した絵柄を編集画像に効率的に配置することができ、利用者の満足度を高く保つことが可能となる。
【０１３０】
さらに、モードを切り換えながら複数回撮影しても、いずれのモードも気に入らないという利用者の不満が発生する可能性がある。これに対して、写真撮影プリント装置１は、モード選択画面、撮影画面、落書き画面等に「次のモードへスキップ」や「ノーマルモードに戻る」などのボタンを設け、「次のモードへスキップ」であれば、次のモードに進み、「ノーマルモードに戻る」であれば、複数撮影で利用者がモードを選択するシーケンスに戻れるようにしてもよい。これにより、利用者の幅広い要望に対処し、利用者の高い満足度を得ることが可能となる。
【０１３１】
次に、利用者状態検知部５４の具体例として、利用者の年齢を推定する場合について説明する。コイン投入の前後で利用者を撮影し、撮影結果を利用者状態検知部５４が画像処理して利用者の身長や顔画像から年齢を推定して、判断結果に基づいてモード選択部５３が選択可能な案内表示種別を決定してもよい。これにより、利用者の年齢層に応じた雰囲気作りが可能となる。
【０１３２】
具体的には、被写体画像の身長で年齢推定を推定し、年齢に応じてモード切替えを行う。例えば、利用者を子供と認識した場合は、てんかんを防止するために、照明は暗くせず、画面や照明の点灯を激しくしない。また、ホラーモード等の子供には過激なモードを表示しない代わりに、子供向けのキャラクタを選べるように表示する。また、利用者を大人のカップルと認識した場合、ラブラブな雰囲気を盛り上げるＢＧＭ音楽を流し、落書き画面ではハートやキューピットなどの雰囲気を盛り上げるコンテンツを選べるようにする。また、利用者を家族連れと認識した場合、過激な演出を含むモードを選択できないようにする代わりに、一般的なキャラクタモード等を充実させる。
【０１３３】
次に、装置状態検知部５５の具体例について説明する。
【０１３４】
装置状態検知部５５として時計を搭載すれば、あらかじめ設定した時間において表示を切り替えることができる。一般に、写真撮影プリント装置１を利用する利用者の客層（年齢層）は、朝、昼、タ方、夜間で異なると予想される。そこで、時間帯ごとの客層に応じて、最適な雰囲気を作るようにモードを切り替えれば、利用者へのアピールを高めることができる。
【０１３５】
例えば、写真撮影プリント装置１を設置する店が繁華街であった場合、朝には、「二日酔い」のモードにより気だるい声で案内の音声を流し、画面には通常のモードにより普通の表示を行う。また、昼から夕方には、音声、画面とも通常のモードにより普通の表示出力を行う。また、夜には、「夜の繁華街」のモードにより周囲の街の雰囲気に合わせた画面および音声で、ラスベガスのような「派手派手ネオン」の表示出力を行う。なお、店舗の担当者が、写真撮影プリント装置１の設置場所や時間帯に応じて、周りの雰囲気と時間帯に合わせて、画面表示、音声、落書きコンテンツを最適に切りかえることもできる。
【０１３６】
また、装置状態検知部５５としてタイマおよびカウンタを搭載すれば、写真撮影プリント装置１の稼働率によってモードを切り替えることができる。すなわち、ある利用者が利用してから次の利用者が機械を利用するまでの時間（操作のあき時間）の平均を求め、その時間があらかじめ保守機能等で定めた時間を下回った場合に機械の稼動率が高いと判断し、画面の表示を切りかえる。
【０１３７】
例えば、稼動率が高い場合、デモ画面では、八百屋の親父のようなキャラが“今日は客の入りがいいねぇ、ありがとよぉ”と威勢のよい声を出す。撮影部屋Ｒ１や落書き部屋Ｒ２の照明も点滅し、賑わっている状態を演出する。また、操作画面では、色はエネルギッシュな色（オレンジ等）で「がんばっている」印象を与える。一方、稼動率が低い場合、デモ画面では、飲み屋の女将のようなキャラが“今日は、みんな来てくんないねぇ、お客さんちょっと寄ってってよ”と客引きのような声を出す。また、操作画面では、落ち着いた色使いとする。
【０１３８】
また、写真撮影プリント装置１は、編集画面の構成を変えるための情報を、保守機能で設定してもよい。写真撮影プリント装置１は、構成する部品（カメラ、表示装置、印刷装置）の動作確認をしたり、１プレイの時間・回数設定（撮影操作時間、回数、落書き操作の制限時間）の設定を確認・変更したりできる保守機能を有する。
【０１３９】
この保守機能は、写真撮影プリント装置にほぼ標準に装備されているものである。通常の写真撮影プリント装置では、機械の前面もしくは横面に保守点検用の扉があり、そこを開けると内部の機器が保守できるような構成となっている。写真撮影プリント装置１の保守機能では、動作チェックのための「無料ＰＬＡＹボタン」、保守機能を動かすための「メンテナンスボタン」が設置されている。そして、機械の電源をＯＮにすると、ハードウェアが起動し、最後にソフトウェアが立ちあがる。その後、ソフトウェアは、利用者からのコイン入力を待つ画面（一般的にはデモ画面）になる。この画面において、店舗担当者が「メンテナンスボタン」を押すと、保守機能用のソフトウェアが起動され、保守機能が使用できる。
【０１４０】
そこで、写真撮影プリント装置１は、モードによる制御のための設定情報等が、あらかじめ機械内部に複数記憶されており、店舗の管理者が保守機能により適宜切り替え可能であっても良い。通常、新規の機械を設置した後、数ヶ月経過すると、利用者が写真撮影プリント装置１の機能に飽きてしまい、マンネリ化して利用者離れが起きるが、上記のように設定の変更を可能とすることで、画面の見た目を変えることができるため、マンネリ化による利用者の減少を防ぐことができる。
【０１４１】
なお、本実施の形態は本発明の範囲を限定するものではなく、本発明の範囲内で種々の変更が可能であり、例えば、以下のように構成することができる。
【０１４２】
本発明の写真撮影プリント装置１は、音声、操作画面、撮影方法、撮影時のカウントダウン方法、テンポ、落書き画面表示、落書きコンテンツ、分割数等をモードごとに切り替えるものである。
【０１４３】
上記写真撮影プリント装置１は、撮影操作を操作する手段と、この手段により被写体を撮影する手段と、被写体を照明する手段と、撮影した撮影画像を編集する手段と、編集した被写体の画像を所定の印刷媒体に印刷する手段とを基本構成として備え、さらに、利用者から画面構成を決定する情報を受け付ける手段と（利用者が遊ぶモードを選択する手段）と、受け付けた情報に基づき編集画面における利用者へ提示する情報を切り替える手段（利用者が選んだモードに合わせて落書き画面表示、コンテンツを変える手段）と、切り替えた画面に応じて処理内容を変える手段とを備えて構成されていてもよい。
【０１４４】
これにより、利用者がモードを選択したら、選択モードに合わせて落書きの機能・構成を変えることができる。よって、限られた操作時間の中で、撮影の雰囲気に合わせた最適な落書き環境を利用者に提供し、利用者の満足度を向上させることができる。
【０１４５】
さらに、上記写真撮影プリント装置１は、編集画面の構成を変えるための情報を、プレイ開始直後に取得してもよい。また、上記写真撮影プリント装置１は、編集画面の構成を変えるための情報を、落書き編集中に取得してもよい。また、上記写真撮影プリント装置１は、編集画面の構成を変えるための情報を、被写体画像より取得してもよい。また、上記写真撮影プリント装置１は、編集画面の構成を変えるための情報を、保守機能で設定してもよい。また、上記写真撮影プリント装置１は、編集画面の構成を時間情報に応じて変更してもよい。また、上記写真撮影プリント装置１は、編集した被写体の画像を写真シールシートに印刷してもよい。また、上記写真撮影プリント装置１は、画像が印刷される印刷媒体と、印刷媒体に関する識別情報を記録する識別媒体とを備えた印刷媒体ユニットによって印刷媒体が供給されるものであり、この識別媒体の識別情報に基づいて印刷媒体を識別する識別手段を有していてもよい。
【０１４６】
さらに、本発明の写真撮影プリント装置は、演出手段が、利用者が自装置を操作するためのユーザインターフェイス手段を含んでいてもよい。また、本発明の写真撮影プリント装置の制御方法は、演出制御処理において、利用者が自装置を操作するためのユーザインターフェイスを選択モードに応じて制御してもよい。
【０１４７】
上記の構成および方法により、さらに、上記写真撮影プリント装置は、選択モードに応じた操作画面や誘導音声等のユーザインターフェイスを提供できる。よって、撮影処理や画像編集処理の際に、利用者に対して一貫した雰囲気の操作環境を提供できる。
【０１４８】
さらに、本発明の写真撮影プリント装置は、画像編集手段が、撮影画像を編集する画像編集機能を利用者が使用するための操作手段を、ユーザインターフェイス手段により実現するものであってもよい。また、本発明の写真撮影プリント装置の制御方法は、画像編集処理において、撮影画像を編集する画像編集機能を利用者が使用するための操作手段を、ユーザインターフェイスにより実現してもよい。
【０１４９】
上記の構成および方法により、さらに、上記写真撮影プリント装置は、画像編集処理の際に、利用者が撮影画像を編集するための操作画面や誘導音声等の操作手段を選択モードに応じて提供できる。よって、利用者に対して一貫した雰囲気の操作環境を提供できる。例えば、画像編集処理のメニュー表示や画像編集の機能および内容（スタンプ等の画像）などをモードごとに切り替えることにより、操作環境を切り替えることができる。したがって、多様な機能および内容から選択して雰囲気に合ったものを提示できるため、限られた操作時間の中でも快適な画像編集環境を利用者に提供して、利用者の満足度を向上させることができる。
【０１５０】
さらに、本発明の写真撮影プリント装置は、モード選択手段が、利用者の入力に基づいて選択モードを決定するものであってもよい。また、本発明の写真撮影プリント装置の制御方法は、モード選択処理において、利用者の入力に基づいて選択モードを決定してもよい。
【０１５１】
上記の構成および方法により、さらに、上記写真撮影プリント装置は、利用者の入力に基づいて選択モードを決定することできる。ここで、利用者が選択するモードをそのまま入力する場合、利用者は指定する雰囲気で写真撮影プリント装置を利用できる。また、例えば利用者が複数の間接的な質問に対する回答を入力する場合、写真撮影プリント装置の操作および雰囲気に物語性を持たせることが可能となる。
【０１５２】
〔実施の形態２〕
本発明の他の実施の形態について図１２から図１６に基づいて説明すれば、以下のとおりである。なお、本実施の形態は、上述した実施の形態１に適用可能である。よって、説明の便宜上、実施の形態１において示した部材と同一の機能を有する構成要素に関しては同一の符号を付記して引用し、その説明を省略する。また、実施の形態１において定義した用語については、特に断らない限り本実施の形態においてもその定義に則って用いるものとする。
【０１５３】
従来、写真シール自販機などの写真撮影プリント装置は、カメラにて利用者を撮影し、撮影した画像に対してタッチペンにて文字や模様を書き込んだり、あらかじめ記憶した画像をスタンプのように貼り付けたりして、プリント用の画像を作成する。そして、このような写真撮影プリント装置には、撮影の美しさとともに、撮影や落書きの過程での遊びの要素も大きく、娯楽性が求められている。
【０１５４】
しかしながら、従来の写真撮影プリント装置は、画像の印刷イメージを利用者が画面で確認しながら編集するものであった。そのため、従来の写真撮影プリント装置には、編集結果をプリント後に初めて確認できる等の意外性の要素がなかった。
【０１５５】
上記の課題に鑑み、本実施の形態に係る写真撮影プリント装置１は、画像の編集中にはプリントイメージを利用者に完全には提示しないことにより、プリントを見たときの意外性を与えることを可能にするものである。これにより、写真撮影プリント装置１は、プレイに意外性の要素を持たせることで、利用者の飽きを防止して、反復的な利用を行わせることができる。
【０１５６】
上記の目的のために、写真撮影プリント装置１は、特に、画像編集部５２に、秘密画像追加部（秘密画像追加手段）５２ａを備えている。この秘密画像追加部５２ａは、利用者に提示しない秘密画像をプリント用画像に追加する秘密画像追加処理を行うものである。
【０１５７】
具体的には、秘密画像追加部５２ａは、落書き画面において、プリント用画像に追加する秘密画像の位置を、タッチパネル２１を介して利用者の入力から取得する。これにより、利用者は秘密画像を所望の位置に配置できるため、他のスタンプ等の位置関係を調整できる。なお、秘密画像を配置する位置は、あらかじめ決められていてもよい。また、利用者が配置したスタンプが少ない場合などには、編集時に利用者が入力していない画像をプリント用画像に追加してもよい。また、追加した秘密画像はプリントするまで内容を表示しなくてもよいし、内容の確定後に利用者による変更を禁止した状態で、例えばアニメーションや効果音とともに表示してもよい。
【０１５８】
図１２は、写真撮影プリント装置１の「見えないスタンプ」モードでの画面表示例である。図１２に示すように「見えないスタンプ」モードでは、操作画面に複数の見えないスタンプボタン７３が選択可能に表示される。この見えないスタンプボタン７３は、例えば画像の外形のみを確認できるように表示できる。そして、利用者が、この見えないスタンプボタン７３を選択して、編集領域内に領域設定枠７４を配置することにより、見えないスタンプ（秘密画像）のプリント用画像上での位置を設定する。
【０１５９】
ここで、見えないスタンプは、操作画面に表示する外形画像７５に、複数の候補画像７６が対応づけられて、記憶装置３１に格納されている。なお、外形画像７５に対応づけられた候補画像７６が１つであってもよい。
【０１６０】
そして、落書き処理の終了の際、画像編集部５２がプリント用画像を確定する時に、秘密画像追加部５２ａが候補画像７６の１つを選択して外形画像７５と置き換える。なお、秘密画像追加部５２ａが候補画像７６を選択する基準としては、例えば乱数のみによって決定してもよいし、選択モードを考慮してもよい。また、操作画面に表示する見えないスタンプボタン７３も、モード選択部５３が選択した選択モードに応じて選択したものを表示してもよい。これにより、乱数、時間、ユーザの入力履歴、装置の動作履歴、センサの取得情報などに基づき、写真撮影プリント装置１の雰囲気に一致した秘密画像を選択してプリントすることができる。
【０１６１】
図１４は、秘密画像を追加したプリントイメージの例である。図１４では、スタンプ７７が秘密画像追加部５２ａの追加した秘密画像である。ここで、秘密画像の追加は、編集時に指定した撮影画像全部のシールに対して行ってもよいし（図１４）、シールイメージの設定画面（図示せず）で指定したシールのみに行ってもよいし、利用者あるいは秘密画像追加部５２ａが選択した特定のシール（例えば１枚）のみに行ってもよい。
【０１６２】
図１５は、ホラーモードで秘密画像を追加したプリントイメージの例である。ホラーモードでは、落書き時にはないが、例えば、背景に火の玉の画像７８や、前景に利用者の画像と重ねてゾンビの手の画像７９がプリントに表れる。このとき、撮影画像中の肌色や背景色を検出して、それ以外の領域に秘密画像を配置できる。
【０１６３】
図１５は、くじモードで秘密画像を追加したプリントイメージの例である。くじモードでは、秘密画像を利用者が選択できない特性を利用して、宝くじ、おみくじあるいは相性診断等を行うことができる。なお、図１６に示すように、再プレイの権利を与えるような「大当り」の画像８０は、シールのプリント用画像上ではなく、余白部分にプリントしてもよい。このように、くじモードを利用すれば、写真撮影プリント装置１に宝くじ等のボーナス機能を付加できるため、意外性という新しい遊びの要素によって面白さが増し、利用者の利用意欲を増大させることが可能となる。
【０１６４】
最後に、上記写真撮影プリント装置１は、パーソナルコンピュータ等の汎用のコンピュータをベースに構成できる。すなわち、写真撮影プリント装置１は、その機能を実現するプログラムの命令を実行するＣＰＵ（ｃｅｎｔｒａｌ　ｐｒｏｃｅｓｓｉｎｇ　ｕｎｉｔ　）、ブートロジックを格納したＲＯＭ（ｒｅａｄ　ｏｎｌｙ　ｍｅｍｏｒｙ）、上記プログラムを展開するＲＡＭ（ｒａｎｄｏｍ　ａｃｃｅｓｓ　ｍｅｍｏｒｙ）、上記プログラムおよび各種データベースを格納するハードディスク等の記憶装置（記録媒体）、キーボードやマウス等の入力機器、モニタ、スピーカ等の出力機器、外部のネットワークに接続するネットワーク接続機器が、内部バスによって接続されて構成されている。そして、写真撮影プリント装置１の機能は、記憶装置に格納されたプログラムを必要に応じてＲＡＭに展開してＣＰＵで実行することでそれぞれ実現される。
【０１６５】
また、本発明の目的は、上述した機能を実現するソフトウェアである写真撮影プリント装置の制御プログラムのプログラムコード（実行形式プログラム、中間コードプログラム、ソースプログラム）をコンピュータで読み取り可能に記録した記録媒体を、システムあるいは装置に供給し、そのシステムあるいは装置のコンピュータ（またはＣＰＵやＭＰＵ、ＤＳＰ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【０１６６】
具体的には、写真撮影プリント装置１が備える演出装置制御部５１、画像編集部５２、モード選択部５３、利用者状態検知部５４、装置状態検知部５５は、写真撮影プリント装置１のメモリ（図示せず）に格納された所定のプログラムを、マイクロプロセッサなどが実行することにより実現される。
【０１６７】
上記プログラムコードを供給するための記録媒体は、システムあるいは装置と分離可能に構成することができる。また、上記記録媒体は、プログラムコードを供給可能であるように固定的に担持する媒体であってもよい。そして、上記記録媒体は、記録したプログラムコードをコンピュータが直接読み取ることができるようにシステムあるいは装置に装着されるものであっても、外部記憶装置としてシステムあるいは装置に接続されたプログラム読み取り装置を介して読み取ることができるように装着されるものであってもよい。
【０１６８】
例えば、上記記録媒体としては、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６９】
また、上記プログラムコードは、コンピュータが記録媒体から読み出して直接実行できるように記録されていてもよいし、記録媒体から主記憶のプログラム記憶領域へ転送された後コンピュータが主記憶から読み出して実行できるように記録されていてもよい。
【０１７０】
さらに、システムあるいは装置を通信ネットワーク（インターネット、イントラネット等を含む）と接続可能に構成し、上記プログラムコードを通信ネットワークを介して供給してもよい。
【０１７１】
なお、プログラムコードを記録媒体から読み出して主記憶に格納するためのプログラム、および、通信ネットワークからプログラムコードをダウンロードするためのプログラムは、コンピュータによって実行可能にあらかじめシステムあるいは装置に格納されているものとする。
【０１７２】
上述した機能は、コンピュータが読み出した上記プログラムコードを実行することによって実現されるだけでなく、そのプログラムコードの指示に基づき、コンピュータ上で稼働しているＯＳなどが実際の処理の一部または全部を行うことによっても実現される。
【０１７３】
さらに、上述した機能は、上記記録媒体から読み出された上記プログラムコードが、コンピュータに装着された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行うことによっても実現される。
【０１７４】
また、写真撮影プリント装置１は、通信ネットワークを介して、遠隔制御することも可能である。
【０１７５】
本発明は上述した各実施の形態に限定されるものではなく、請求項に示した範囲で種々の変更が可能であり、異なる実施の形態にそれぞれ開示された技術的手段を適宜組み合わせて得られる実施形態についても本発明の技術的範囲に含まれる。
【０１７６】
【発明の効果】
以上のように、本発明の写真撮影プリント装置は、利用者を撮影した画像をプリントする写真撮影プリント装置において、あらかじめ設定されている複数のモードから１つを選択モードとして選択するモード選択手段と、上記選択モードに応じた演出をする演出手段と、を備える構成である。
【０１７７】
また、本発明の写真撮影プリント装置の制御方法は、利用者を撮影した画像をプリントする写真撮影プリント装置の制御方法において、あらかじめ設定されている複数のモードから１つを選択モードとして選択するモード選択処理と、演出装置を上記選択モードに応じて制御する演出制御処理と、を含む方法である。
【０１７８】
それゆえ、上記写真撮影プリント装置は、モードごとに装置全体として明確な雰囲気を多様に演出できる。したがって、１つのモードとして統一した雰囲気を多様に作り出すことができるため、利用者に十分な娯楽性を提供できる写真撮影プリント装置を安価に実現できるという効果を奏する。
【０１７９】
さらに、本発明の写真撮影プリント装置は、利用者を撮影して撮影画像を得る撮影手段と、上記撮影画像を編集してプリント用画像を得る画像編集手段と、上記プリント用画像をプリントするプリント手段とを備え、かつ、上記画像編集手段が上記選択モードに応じて動作するものである。
【０１８０】
また、本発明の写真撮影プリント装置の制御方法は、利用者を撮影して撮影画像を得る撮影処理と、上記選択モードに応じて上記撮影画像を編集してプリント用画像を得る画像編集処理と、上記プリント用画像をプリントするプリント処理と、を含む方法である。
【０１８１】
それゆえ、さらに、上記写真撮影プリント装置は、利用者を撮影した撮影画像に対して、写真撮影プリント装置の全体の雰囲気に合致した画像編集処理を行ってプリントすることができるという効果を奏する。すなわち、撮影画像に対して写真撮影プリント装置の雰囲気に応じた画像の付加等の画像処理が可能となるという効果を奏する。
【０１８２】
さらに、本発明の写真撮影プリント装置は、上記撮影画像を、当該撮影画像の撮影時の選択モードに対応づけて記憶する記憶手段を備える構成である。
【０１８３】
また、本発明の写真撮影プリント装置の制御方法は、上記撮影画像を、当該撮影画像の撮影時の選択モードに対応づけて記憶する記憶処理を含む方法である。
【０１８４】
それゆえ、さらに、写真撮影プリント装置は、撮影画像を処理する際、その撮影画像の撮影時の選択モードに応じた動作が可能となる。例えば、撮影画像を表示もしくは編集する際、撮影時の選択モードに応じた編集や演出装置による演出が可能となる。したがって、撮影ごとに選択モードを切り換えながら複数回撮影した場合でも、撮影時の選択モードに合致した雰囲気で各撮影画像を表示もしくは編集できるという効果を奏する。
【０１８５】
さらに、本発明の写真撮影プリント装置の制御方法は、利用者の状態を検知する利用者状態検知処理をさらに含み、上記モード選択処理では、上記利用者状態検知処理において検知した利用者情報に基づいて上記選択モードを決定する方法である。
【０１８６】
それゆえ、さらに、上記写真撮影プリント装置は、利用者の状態を検知した利用者情報に基づいて選択モードを決定することできるという効果を奏する。
【０１８７】
さらに、本発明の写真撮影プリント装置の制御方法は、自装置の状態を検知する装置状態検知処理をさらに含み、上記モード選択処理では、上記装置状態検知処理において検知した装置情報に基づいて上記選択モードを決定する方法である。
【０１８８】
それゆえ、さらに、上記写真撮影プリント装置は、自装置の状態を検知した装置情報に基づいて選択モードを決定することできるという効果を奏する。
【０１８９】
さらに、本発明の写真撮影プリント装置の制御方法は、上記画像編集処理が、あらかじめ利用者に提示しない秘密画像を上記プリント用画像に追加する秘密画像追加処理を含む方法である。
【０１９０】
それゆえ、さらに、上記写真撮影プリント装置は、利用者がプリント後に初めて秘密画像を見ることになるため、出力の意外性を楽しむことができるという効果を奏する。そして、この機能を利用すれば、プレゼントや割引等の抽選や、おみくじ等の占いが可能になり、簡便に楽しむことができ、かつ、飽きが来ない多様なコンテンツを提供することが可能となるという効果を奏する。
【０１９１】
さらに、本発明の写真撮影プリント装置の制御方法は、上記秘密画像追加処理では、利用者の入力に基づいて上記プリント用画像に対する上記秘密画像の位置を決定する方法である。
【０１９２】
それゆえ、さらに、上記写真撮影プリント装置は、利用者があらかじめ提示されない秘密画像と他の画像との位置関係を調整できるという効果を奏する。
【０１９３】
また、本発明のプリント紙ユニットは、上記の写真撮影プリント装置に搭載されるプリント紙ユニットであって、プリント用画像が印刷されるプリント紙と、当該プリント紙に関する識別情報を記録する識別媒体とを備えるとともに、上記写真撮影プリント装置が具備する識別情報読み取り手段によって、上記識別媒体から識別情報が読み取られ、その内容が確認された上で上記プリント紙に上記プリント用画像がプリントされるものである。
【０１９４】
それゆえ、写真撮影プリント装置において指定されているプリント紙以外は使用できないように設定することが可能となるという効果を奏する。
【０１９５】
また、本発明の写真撮影プリント装置の制御プログラムは、コンピュータで上記写真撮影プリント装置の制御方法の各処理を実行するコンピュータ・プログラムである。
【０１９６】
それゆえ、上記写真撮影プリント装置の制御方法を実現することができるという効果を奏する。
【０１９７】
また、本発明の写真撮影プリント装置の制御プログラムを記録したコンピュータ読み取り可能な記録媒体は、上記の各処理をコンピュータに実行させて、上記写真撮影プリント装置を制御する写真撮影プリント装置の制御プログラムを記録したコンピュータ読み取り可能な記録媒体である。
【０１９８】
それゆえ、上記写真撮影プリント装置の制御方法をコンピュータで実現することができるという効果を奏する。
【図面の簡単な説明】
【図１】本発明の一実施の形態に係る写真撮影プリント装置の構成の概略を示す機能ブロック図である。
【図２】図１に示した写真撮影プリント装置の外観の一例であって、撮影部屋の構成の概略を示す斜視図である。
【図３】図２に示した写真撮影プリント装置の落書き部屋の構成の概略を示す斜視図である。
【図４】図２、図３に示した写真撮影プリント装置の使用時における利用者の動きを示す説明図である。
【図５】図１に示した写真撮影プリント装置の外観の他の例を示す斜視図である。
【図６】図１に示した写真撮影プリント装置の動作の概略を示すフローチャートである。
【図７】図１に示した写真撮影プリント装置が提示するモード選択画面の一例を示す説明図である。
【図８】図１に示した写真撮影プリント装置が提示するモード選択画面の他の例を示す説明図である。
【図９】図１に示した写真撮影プリント装置が提示する構図確認画面の一例を示す説明図である。
【図１０】図１に示した写真撮影プリント装置が提示する落書き画面の一例を示す説明図である。
【図１１】図１に示した写真撮影プリント装置が提示する落書き画面の他の例を示す説明図である。
【図１２】図１に示した写真撮影プリント装置が提示する秘密画像配置画面の一例を示す説明図である。
【図１３】図１に示した写真撮影プリント装置が使用する秘密画像の設定テーブルの一例を示す説明図である。
【図１４】図１に示した写真撮影プリント装置が秘密画像を追加してプリントした結果の一例を示す説明図である。
【図１５】図１に示した写真撮影プリント装置が秘密画像を追加してプリントした結果の他の例を示す説明図である。
【図１６】図１に示した写真撮影プリント装置が秘密画像を追加してプリントした結果のさらに他の例を示す説明図である。
【符号の説明】
１，１′　写真撮影プリント装置
１２　　カメラ（撮影手段）
１３，２１　　タッチパネル（演出装置、演出手段、ユーザインターフェイス手段）
１７　　照明装置（演出装置、演出手段）
１８　　スピーカ（演出装置、演出手段、ユーザインターフェイス手段）
３１　　記憶装置（記憶手段）
３３　　ＩＤタグリーダ／ライタ（識別情報読み取り手段）
３４　　プリンタ（プリント手段）
４０　　プリント紙ユニット
４１　　ＩＤタグ（識別媒体）
４２　　プリント紙
５１　　演出装置制御部（演出制御手段）
５２　　画像編集部（画像編集手段）
５２ａ　秘密画像追加部（秘密画像追加手段）
５３　　モード選択部（モード選択手段）
５４　　利用者状態検知部（利用者状態検知手段）
５５　　装置状態検知部（装置状態検知手段）
７１，７２　　アイコン（操作手段）
【図１】
2004062839.tif 000003
【図２】
2004062839.tif 000004
【図３】
2004062839.tif 000005
【図４】
2004062839.tif 000006
【図５】
2004062839.tif 000007
【図６】
2004062839.tif 000008
【図７】
2004062839.tif 000009
【図８】
2004062839.tif 000010
【図９】
2004062839.tif 000011
【図１０】
2004062839.tif 000012
【図１１】
2004062839.tif 000013
【図１２】
2004062839.tif 000014
【図１３】
2004062839.tif 000015
【図１４】
2004062839.tif 000016
【図１５】
2004062839.tif 000017
【図１６】
2004062839.tif 000018